(57)【要約】【課題】本発明は、照明装置に関する。【解決手段】本発明に係る照明装置は、その長手方向に沿って互いに連接される支持部及び積載部からなる柱状の本体部と、前記支持部の長手方向に沿って互いに離間して設置され且つ前記支持部を貫かせる複数の放熱モジュールと、を備え、各放熱モジュールは、前記支持部を囲んで放射状に均一に配列される複数の放熱フィンを備える放熱器と、前記積載部の前記放熱モジュールから離れている端面に設置される少なくとも一つの固体光源と、を備える。【選択図】図１
2010257965.tif 000002
【特許請求の範囲】
【請求項１】
その長手方向に沿って互いに連接される支持部及び積載部からなる柱状の本体部と、前記支持部の長手方向に沿って互いに離間して設置され且つ前記支持部を貫かせる複数の放熱モジュールと、を備え、各放熱モジュールは、前記支持部を囲んで放射状に均一に配列される複数の放熱フィンを備える放熱器と、
前記積載部の前記放熱モジュールから離れている端面に設置される少なくとも一つの固体光源と、
を備えることを特徴とする照明装置。
【請求項２】
前記放熱モジュールは、前記支持部を貫かせる中空の環形部材をさらに備え、前記複数の放熱フィンは、前記環形部材から外に向かって延在して形成されることを特徴とする請求項１に記載の照明装置。
【請求項３】
前記積載部は、円錐台状を呈し、前記積載部の前記放熱モジュールに隣り合う端面の面積は、前記放熱モジュールから離れている端面の面積より小さいことを特徴とする請求項１に記載の照明装置。
【請求項４】
前記積載部の前記放熱モジュールから離れている一端には、頂面及び前記頂面から下に向かって斜めに延在して形成される複数の傾斜面を有し、前記複数の傾斜面は前記頂面を囲んで設置され、前記頂面と前記各傾斜面との夾角は鈍角であって、前記頂面には、固体光源が設置され、及び前記複数の傾斜面には、それぞれ１つの固体光源が設置されることを特徴とする請求項１に記載の照明装置。
【請求項５】
前記積載部の前記放熱モジュールから離れている端部は、角錐台輪郭を有し、前記角錐台輪郭の複数の側面は、別々に前記１つの傾斜面であって前記複数の側面及び角錐台状の端面には、それぞれ１つの固体光源が設置されることを特徴とする請求項１に記載の照明装置。
【請求項６】
前記複数の放熱モジュールは、別々に同じ数量の放熱フィンを備え、隣り合う２つの放熱モジュールの複数の放熱フィンは一対一に対応して、前記支持部の長手方向に沿って互いに対応する複数の放熱フィンは同じ直線に位置し且つ互いに平行であることを特徴とする請求項１に記載の照明装置。
【発明の詳細な説明】
【技術分野】
【０００１】
本発明は、照明装置に関し、特に高い放熱効率を有する照明装置に関する。
【背景技術】
【０００２】
発光ダイオード（Ｌｉｇｈｔ  Ｅｍｉｔｔｉｎｇ  Ｄｉｏｄｅ、ＬＥＤ）は、高輝度や高発光効率などのような特性を有するため、冷陰極蛍光ランプ（Ｃｏｌｄ  Ｃａｔｈｏｄｅ  Ｆｌｕｏｒｅｓｃｅｎｔ  Ｌａｍｐ、ＣＣＦＬ）を置き換えることができる、照明装置の中の発光素子である。
【０００３】
発光ダイオードは光線を発生するとともに、熱量も生じる。且つ発光ダイオードの輝度が高ければ高いほど、発光ダイオードから生じる熱量も高くなる。これらの熱量を即時に排除しなければ、発光ダイオード及びその周辺の温度が急速に上昇するため、発光ダイオードの光強度を減衰させ、発光ダイオードの寿命を短縮するような悪い影響を生じ易くなる。
【発明の概要】
【発明が解決しようとする課題】
【０００４】
本発明の目的は、前記課題を解決するため、高い放熱効率を有する照明装置を提供することである。
【課題を解決するための手段】
【０００５】
前記目的を達成するため、本発明に係る本発明に係る照明装置は、その長手方向に沿って互いに連接される支持部及び積載部からなる柱状の本体部と、前記支持部の長手方向に沿って互いに離間して設置され且つ前記支持部を貫かせる複数の放熱モジュールと、を備え、各放熱モジュールは、前記支持部を囲んで放射状に均一に配列される複数の放熱フィンを備える放熱器と、前記積載部の前記放熱モジュールから離れている端面に設置される少なくとも一つの固体光源と、を備える。
【発明の効果】
【０００６】
従来の技術と比べると、本発明の照明装置は、柱状の本体部及び複数の放熱モジュールを含む放熱器を備える。前記柱状の本体部には、固体光源が設置され、発光時、前記固体光源から生じる熱は、前記柱状の本体部により放熱フィンに伝導して放熱するため、前記固体光源を適切な温度で発光させることができ、その発光特性を有効に保障することができる。又、隣り合う放熱モジュールの間の間隔により、空気流量を増すことができ、前記放熱フィンの熱を速く且つ均一に空気中に放熱させ、前記照明装置の放熱効率を高める。
【図面の簡単な説明】
【０００７】
【図１】本発明の第一実施例に係る照明装置を示す図である。
【図２】本発明の第二実施例に係る照明装置を示す図である。
【図３】本発明の第三実施例に係る照明装置を示す図である。
【発明を実施するための形態】
【０００８】
以下、図面を参照して、本発明の実施例について説明する。
【０００９】
図１を参照すると、本発明の第一実施例に係わる照明装置１００は、放熱器１０及び複数の固体光源１８を備える。
【００１０】
前記放熱器１０は、柱状の本体部１２及び複数の放熱モジュール１６を備える。前記柱状の本体部１２は、その長手方向に沿って互いに連接される支持部１２０及び積載部１２２を備える。前記複数の放熱モジュール１６は、別々に中空の環形部材１６０及び複数の前記環形部材１６０から外に向かって延在して形成される放熱フィン１６２を備える。前記複数の放熱フィン１６２は、前記環形部材１６０を囲んで放射状に均一に配列され、且つ各放熱フィン１６２は、平板状を呈する。
【００１１】
前記支持部１２０は、円柱状を呈する。前記積載部１２２は、円錐台状を呈し、前記積載部１２２の前記放熱モジュール１６に隣り合う端面（図示せず）の面積は、前記放熱モジュール１６から離れている端面１２２Ａの面積より小さく、前記放熱モジュール１６から離れている端面１２２Ａには、前記複数の固体光源１８が設置されている。前記固体光源１８は、発光ダイオードであることができる。前記照明装置１００は、前記積載部１２２に設置され且つ前記端面１２２Ａに接触する回路基板１９をさらに備える。前記複数の固定光源１８は、前記回路基板１９に装着されることができ、外部電源に電気的に接続することにより前記固定光源１８に電力供給する。動作時、前記固定光源１８は、前記回路基板１９により前記柱状の本体部１２に電気的に接続されて、発光している場合、前記固定光源１８から生じる熱を前記回路基板１９により前記柱状の本体部１２に伝導でき、さらに前記環形部材１６０により前記複数の放熱フィン１６２に伝導して放熱する。前記固体光源１８は、適切な温度で発光することができるため、その発光特性を有効に保障することができる。
【００１２】
前記環形部材１６０は、前記支持部１２０に貫かれ、隣り合う２つの放熱モジュール１６の複数の放熱フィン１６２は一対一に対応して、前記支持部１２０の長手方向に沿って互いに対応する複数の放熱フィンは同じ直線に位置し且つ互いに平行するため、前記支持部１２０の長手方向に平行な第一気流経路Ｓが形成される。又、隣り合う放熱モジュール１６の間の間隔１６Ａには、前記支持部１２０を囲む第二気流経路Ｔが形成されている。前記第一気流経路Ｓ及び前記第二気流経路Ｔが直交して設置されるため、空気流量を増すことができ、前記放熱フィン１６２の熱を速く且つ均一に空気中に放熱させて、前記照明装置１００の放熱効率を高める。
【００１３】
前記複数の固体光源１８は、前記放熱モジュール１６から離れている端面１２２Ａに設置されるため、前記放熱モジュール１６が前記複数の固体光源１８から生じる熱を即時に放熱しない場合、前記複数の固体光源１８から生じる熱は、前記積載部１２２により直接に放熱される。従って、前記複数の固体光源１８から生じる熱が、即時に放熱できないことにより蓄積されることを防止することができる。
【００１４】
前記積載部１２２は、第一実施例に限定されるものではなく、更に多くの固体光源１８を設置することができる。図２を参照すると、本発明の第二実施例に係わる照明装置２００は、第一実施例の照明装置１００に比べて、異なる所は、積載部２２２の放熱モジュール２６から離れている一端に、頂面２２２Ａを及び前記頂面２２２Ａから下に向かって斜めに延在して形成される複数の傾斜面２２２Ｂを有し、前記複数の傾斜面２２２Ｂは、頂面２２２Ａを囲んで設置され且つ前記頂面２２２Ａと前記各傾斜面２２２Ｂとの夾角は鈍角θである。前記頂面２２２Ａに固体光源２８が設置され、及び前記複数の傾斜面２２２Ｂにそれぞれ１つの固体光源２８が設置されるため、前記照明装置２００の照明範囲及び発散角度を拡大することができ、前記照明装置２００は、道路や舞台などのような広い範囲の照明場所に適用することができる。
【００１５】
複数の放熱フィン２６２は、支持部２２０から外に向かって直接に延在することができ、前記支持部２２０及び前記複数の放熱フィン２６２は、一体構造体にしうるため、便利に組み立てることができる。前記支持部２２０及び前記複数の放熱フィン２６２は、銅、アルミニウム、その合金のような材料からなることができる。
【００１６】
図３を参照すると、本発明の第三実施例に係わる照明装置３００が、第一実施例の照明装置１００に比べて、異なる所は、積載部３２２の前記放熱モジュール１６に隣り合う端部３２Ａが、円柱状を呈する所である。前記積載部３２２の放熱モジュール３６から離れている端部３２Ｂは、角錐台輪郭を有し、前記角錐台の六つの側面は、六つの傾斜面３２２Ｂである。前記六つの傾斜面３２２Ｂ及び角錐台状の端面３２２Ａには、それぞれ１つの固体光源３８が設置されている。
【００１７】
以上本発明を実施例に基づいて具体的に説明したが、本発明は、上述の実施例に限定されるものではなく、その要旨を逸脱しない範囲において、種々変更可能であることは勿論であって、本発明の技術的範囲は、以下の特許請求の範囲から決まる。
【符号の説明】
【００１８】
１０  放熱器
１２  柱状の本体部
１６、２６、３６  放熱モジュール
１６Ａ  間隔
１８、２８、３８  固体光源
１９  回路基板
３２Ａ、３２Ｂ  端部
１００、２００、３００  照明装置
１２０  支持部
１２２、２２２、３２２  積載部
１２２Ａ、２２２Ａ、３２２Ａ  端面
１６０、  環形部材
１６２、２６２  放熱フィン
２２２Ｂ、３２２Ｂ  傾斜面
【図１】
2010257965.tif 000003
【図２】
2010257965.tif 000004
【図３】
2010257965.tif 000005